(57)【要約】      （修正有）【課題】マウス機能を内蔵しつつ、使用者が好適に把持し得る大きさや形状を実現したレーザポインタを提供する。【解決手段】レーザポインタ１は、レーザポインタ本体２と、レーザポインタ本体２内に収納されたデバイス本体３３ｂ及び当該デバイス本体３３ｂの一面３３ｃ側に突出しその突出端３３ｄが前記レーザポインタ本体２の表面に露出した突出部３３ｅを有するカーソル操作デバイスたるカーソル操作部３３と、前記突出端３３ｄから当該突出端３３ｄに相対する他端３３ｆまでの間に位置付けられた状態で前記レーザポインタ本体２に収容された回路基板４ａとを具備する。【選択図】図７
2010204736.tif 000002
【特許請求の範囲】
【請求項１】
レーザポインタ本体と、
レーザポインタ本体内に収納されたデバイス本体及び当該デバイス本体の一面側に突出しその突出端が前記レーザポインタ本体の表面に露出した突出部を有するカーソル操作デバイスと、
前記突出端から当該突出端に相対する他端までの間に位置付けられた状態で前記レーザポインタ本体に収容された回路基板とを具備することを特徴とするレーザポインタ。
【請求項２】
前記回路基板が、デバイス本体の一面の外形を覆いながら積層するように位置付けられた状態で前記レーザポインタ本体に収容されたものであり、
前記回路基板に形成され前記回路基板が積層する方向に前記突出部を通過させ得る通過部をさらに具備している請求項１記載のレーザポインタ。
【請求項３】
前記通過部が、前記突出部を囲み得る開口である請求項２記載のレーザポインタ。
【請求項４】
前記突出部の突出端が、押下されることにより動作し得るものであるものである請求項１、２又は３記載のレーザポインタ。
【請求項５】
前記回路基板に形成され前記回路基板が積層する方向に前記突出部を通過させ得る通過部をさらに具備しているものであり、
前記デバイス本体が前記突出部とともに動作し得る動作部と、レーザポインタ本体に固定された固定部とを有するものとして、前記動作部の動作とともに前記突出部が前記通過部内を積層する方向に摺動し得るものとしている請求項１、２、３又は４記載のレーザポインタ。
【請求項６】
前記突出端が前記レーザポインタの表面から突出しない位置に位置付けられている請求項１、２、３、４又は５記載のレーザポインタ。
【請求項７】
前記デバイス本体の一面とは反対側に、レーザ光を照射するためのレーザ素子を位置付けたレーザ照射領域を形成している請求項１、２、３、４、５又は６記載のレーザポインタ。
【請求項８】
前記突出端から他端に至る方向に直交する方向を前記レーザポインタ本体の長手方向に設定するとともに、
前記カーソル操作デバイス及び前記回路基板を、前記レーザポインタ本体の長手方向におけるレーザ光を照射する前端部側の前半部に配置している請求項１、２、３、４、５、６又は７記載のレーザポインタ。
【請求項９】
前記レーザポインタ本体を、前記前半部よりも後方の位置から湾曲させて形成している請求項８記載のレーザポインタ。
【発明の詳細な説明】
【技術分野】
【０００１】
本発明は、レーザ光をスクリーン等に照射することができ、またプレゼンテーション用のパーソナルコンピュータ等に所要の指令を与えることができるレーザポインタに関する。
【背景技術】
【０００２】
従来、プレゼンテーションや会議等の場で使用され、プロジェクタやＯＨＰ等によりスクリーンに投射した画面の一部をレーザ光で指示するレーザポインタが周知である。
【０００３】
また、単にレーザ光を照射するのみならず、パーソナルコンピュータやその他の情報処理装置側と無線交信して表示画面の変更等の遠隔操作を行い得るものも開発されている。斯かるレーザポインタの具体的な一例としては、ペン型の筐体にレーザ照射用の操作部（押下ボタン）、ページ送り指令用の操作部、及びページ戻し指令用の操作部が設けられており、各操作部を操作することで、レーザ光を照射したり、情報処理装置にページ送りまたはページ戻し指令のみならず、マウスと同様の指令を与えたりすることができるといったレーザポインタを挙げることができる。
【先行技術文献】
【特許文献】
【０００４】
【特許文献１】特開２００６−３３０２０８号公報
【発明の概要】
【発明が解決しようとする課題】
【０００５】
しかしながら、上記特許文献の通りにレーザポインタの機能を、単なるレーザ光の照射のみならず、レーザポインタを用いたプレゼンテーションに有用とされる種々の機能を与えるとなると、必要とされる部品や回路基板等をレーザポインタ内に収めなければならならず、さらにそれぞれの機能を使用するに足るだけの消費電力の増大に起因する電源部も大型化することも影響し、いきおいレーザポインタ自体が大型化してしまうものとなる。
【０００６】
特にマウス機能といった、情報処理装置から表示されたカーソルを表示画面の任意の位置に移動させるというカーソル操作デバイスをレーザポインタ内に組み込むとなると、当該カーソル操作デバイス自体に加え、レーザポインタを制御するための回路を組み込んだ回路基板とを同時に組み込むことが必要なるため、上述したレーザポインタの大型化が特に顕著に現れることとなってしまう。
【０００７】
本発明は、このような不具合に着目したものであり、マウス機能を内蔵しつつ、使用者が好適に把持し得る大きさや形状を実現したレーザポインタを提供することを目的としている。
【課題を解決するための手段】
【０００８】
本発明は、このような目的を達成するために、次のような手段を講じたものである。すなわち本発明に係るレーザポインタは、レーザポインタ本体と、レーザポインタ本体内に収納されたデバイス本体及び当該デバイス本体の一面側に突出しその突出端が前記レーザポインタ本体の表面に露出した突出部を有するカーソル操作デバイスと、前記突出端から当該突出端に相対する他端までの間に位置付けられた状態で前記レーザポインタ本体に収容された回路基板とを具備することを特徴とする。
【０００９】
ここで、カーソル操作デバイスとは、パーソナルコンピュータ等の情報処理装置が表示画面やプロジェクタに表示するカーソルの位置を移動させ得る、所謂無線マウスの機能を奏するデバイスを意味している。
【００１０】
また、回路基板は、実装する回路はレーザポインタ自体の何らかの機能に寄与する回路であればよい。すなわち、レーザ素子や他の各ボタンの機能に係る制御を行なうための制御回路を実装したものであったり、情報処理装置側と通信するためのトランシーバに係る電子部品を実装したものであったりしても良い。
【００１１】
このようなものであれば、回路基板をカーソル操作デバイスの厚みの範囲内に収めているので、レーザポインタ内の空間の有効利用を図ることができる。その結果、大型化することを有効に回避し得るとともに、使用者にとって持ち易く操作し易い形状を実現したレーザポインタを提供することが可能となる。
【００１２】
レーザポインタ内のスペースを有効に使用し得る具体的な構成として、回路基板を、デバイス本体の一面の外形を覆いながら積層するように位置付けられた状態で前記レーザポインタ本体に収容されたものとして、回路基板に形成され前記回路基板が積層する方向に前記突出部を通過させ得る通過部を設けたものを挙げることができる。そして、突出部によって回路基板の位置決めをも有効に行い得るものとするためには、前記通過部を突出部を囲み得る開口とすることが好ましい。
【００１３】
そして、カーソル操作デバイスのみならず、レーザポインタ本体表面にボタン等を配置する面積スペースを有効に確保するためには、突出部の突出端を、押下されることにより動作し得るものとすることが好ましい。当該押下操作によってなし得る機能としては例えば、マウスの左クリックに相当する機能を、一例としてあげることができる。
【００１４】
また、突出部が動作する態様において回路基板を有効に位置決めするための具体的な一例として、デバイス本体が前記突出部とともに動作し得る動作部と、レーザポインタ本体に固定された固定部とを有するものとして、前記動作部の動作とともに前記突出部が前記通過部内を摺動し得るものを挙げることができる。斯かる構成により、回路基板は積層方向に係る位置決めのみで直交する方向の位置決めは通過部に担わせることが可能となる。
【００１５】
そして本発明に係るレーザポインタは、上述の通りレーザポインタ本体内のスペースを有効に利用することにより、突出端が前記レーザポインタの表面から突出しない位置に位置付けられているような、レーザポインタ内部の空間を大きく利用するような構成にも有効に適用することができる。
【００１６】
そして、本発明では、特にレーザポインタ本体における、カーソル操作デバイスの突出端から他端に至る方向の寸法を有効に削減することができるので、デバイス本体の一面とは反対側に、レーザ光を照射するためのレーザ素子を位置付けたレーザ照射領域を形成しても、カーソル操作デバイスの突出端から他端に至る方向の寸法を有効に抑えることができる。
【００１７】
そして、前記突出端から他端に至る方向に直交する方向を前記レーザポインタ本体の長手方向に設定するとともに、カーソル操作デバイス及び前記回路基板を、前記レーザポインタ本体の長手方向における前半部に集めたものとすれば、通常電池といった重量の大きい物を後端に配置するために重心が後側に偏りがちなレーザポインタ自体の重心を、より前寄りに設定することができ、使用者にとって長時間の使用においても疲労し難いものとすることができる。
【００１８】
そしてこのように前半部のスペースを有効利用することでレーザポインタ本体を、前記前半部よりも後方の位置から湾曲させて形成したものとすれば、単に棒状をなした形状のものよりも、使用者にとって握りやすい形状に設定することが可能である。
【発明の効果】
【００１９】
本発明によれば、回路基板をカーソル操作デバイスの厚みの範囲内に収めることができるので、レーザポインタ内の空間の有効利用を図ることができる。その結果、大型化することを有効に回避し得るとともに、使用者にとって持ち易く操作し易い形状を実現したレーザポインタを提供することが可能となる。
【図面の簡単な説明】
【００２０】
【図１】本発明の一実施形態に係る外観図。
【図２】同実施形態のレーザポインタを示す斜視図。
【図３】同正面図。
【図４】同左側面図。
【図５】同右側面図。
【図６】同レーザポインタの内部構造を模式的に示す説明図。
【図７】同内部構造を一部省略した断面を示す図。
【図８】図７に係る動作説明図。
【発明を実施するための形態】
【００２１】
以下、本発明の一実施の形態について図面を参照して説明する。
【００２２】
本実施形態に係るレーザポインタ１は、図１に示す一例のように、プレゼンテーションや会議等の場で用いられるものであり、複数の当該レーザポインタ１を用いながら、スライドやページ等を表示したり、画像及び／または音声を再生したり、録画／録音したりするための情報処理装置６を使用するレーザポインタシステムＳに一例として供されているものである。情報処理装置６は、具体的にはパーソナルコンピュータ、多機能型のテレビジョン受像器、ディスク再生装置や記録装置等であり、同図に示しているように、必要に応じてプロジェクタ７、モニタ、アンプ及びスピーカ、カメラ、マイク等の機器を接続する。また、情報処理装置６には、レーザポインタ１から発信される無線信号を受信するレシーバ５を接続するが、勿論情報処理装置６と直接交信し得る態様であってもよい。
【００２３】
ここで、本実施形態に係るレーザポインタ１は、レーザポインタ本体２内に収納されたデバイス本体３３ｂ及び当該デバイス本体の一面３３ｃ側に突出しその突出端３３ｄが前記レーザポインタ本体２の表面に露出した突出部３３ｅを有するカーソル操作デバイスたる後述するカーソル操作部３３と、前記突出端から当該突出端に相対する他端３３ｆまでの間に位置付けられた状態で前記レーザポインタ本体２に収容された後述する回路基板４ａとを具備することを特徴とするものである。以下、レーザポインタ１の構成について詳述する。
【００２４】
レーザポインタ１は、図２ないし図８に示すように、使用者が把持する把持部２３を有するレーザポインタ本体２と、レーザポインタ本体２上面に設けた照射用操作部３０、指令用操作部３１及び第二指令用操作部３２の他、カーソル操作部３３、第一クリックボタン３４ａ、第二クリックボタン３４ｂ及び第三クリックボタン３４ｃを主に有したものである。
【００２５】
レーザポインタ本体２は、前後に約１２５ｍｍの長さで伸長しつつ前後方向の中間部でなだらかに湾曲した形状をなしており、その湾曲を開始した部位から後方（使用者から見て手前方）が把持部２３となる。そして本実施形態ではレーザポインタ本体２は、レーザ光が発せられる側を前端部２ｂとして設定するとともに、カーソル操作部３３、回路基板４ａ及び後述のレーザ素子４２を含むレーザ照射領域２ａを回路基板４ａの厚み方向に重層するように配置するとともに、これらを前端部２ｂよりの前半部２ｃに配置したものとしているが、詳細な配置並びに構成については後に詳述する。
【００２６】
照射用操作部３０は、レーザ光を照射する目的で操作されるものである。他方、指令用操作部３１及び第二指令用操作部３２は、情報処理装置６上で実行されるソフトフェアの機能を制御する目的で操作されるものである。第二指令用操作部３２に対する操作は、前記指令用操作部３１に対する操作とは逆の意味を持つ。例えば、ソフトウェアが複数のスライドまたはページを順次表示するプレゼンテーションソフトである場合、指令用操作部３１に対する操作はスライドまたはページを次のものに切り替える旨を意味し、第二指令用操作部３２に対する操作はスライドまたはページを前のものに戻す旨を意味する。プレゼンテーションや会議等の場では、照射用操作部３０及び指令用操作部３１の操作頻度が比較的高く、第二指令用操作部３２の操作頻度はそれよりも低いと考えられる。
【００２７】
さらに、本レーザポインタ１は上述の通り、レーザポインタ本体２上面側には、無線マウス（ポインティングデバイス）としての機能をも発揮させるため、本発明のカーソル操作デバイスであるカーソル操作部３３、第一クリックボタン３４ａ、第二クリックボタン３４ｂ及び第三クリックボタン３４ｃをさらに有している。
【００２８】
カーソル操作部３３は、図４ないし図８に示すように、その突出端３３ｄに位置付けたれたレンズ部３３ａの直上に載せ置かれたユーザの指の位置を光学的に検出するためのものである。カーソル操作部３３は具体的に、デバイス本体３３ｂと、当該デバイス本体３３ｂの一面３３ｃ側に突出しその突出端３３ｄがレーザポインタ本体２の表面に露出しさせた突出部３３ｅとを有するものである。またカーソル操作部３３は、突出端３３ｄを押下操作することにより、情報処理装置６に対して既存のマウスの左ボタンのクリックに相当する遠隔操作を行い得るものである。なおカーソル操作部３３の長押しはマウスの中央ボタン（スクロールホイール）のクリックを意味する。そして上記レンズ部３３ａを位置付けた突出端３３ｄはレーザポインタ本体２の表面から突出しないように若干凹ませた位置に位置付けられているため、レーザポインタ１を載置する際に誤ってレンズ部３３ａが他の物に接触してしまうということは無い。そして図４ないし図８に示すように、突出端３３ｄから他端３３を介した反対側には、上述したレーザ素子４２を収容し、レーザ光をレーザポインタ本体２内で通過させている領域、すなわち、レーザ照射領域２ａに設定されている。またデバイス本体３３ｂは、レーザポインタ本体２側に適宜の方法で固定された固定部３３ｂ１と、上記の通り突出端３３ｄが押下操作される際に突出部３３ｅとともに往復動作する動作部３３ｂ２とを有している。そして動作部３３ｂ２が往復する際には突出部３３ｅは後述する回路基板４ａに設けた開口４ｂ内を回路基板４ａの厚み方向に摺動することとなるが、斯かる点については後に説明する。
【００２９】
また、カーソル操作部３３の周囲右側にある第一クリックボタン３４ａはマウスの右ボタン、周囲左先端側にある第二クリックボタン３４ｂはキーボードのＡｌｔキー及びＴａｂキー、周囲左基端側にある第三クリックボタン３４ｃは左ボタンのホールドに、それぞれ相当する。しかして、本レーザポインタ１は、カーソル操作部レンズ３３ａを撫でる指の動きに合わせてマウスカーソルを移動させる指令信号や、カーソル操作部３３またはクリックボタン３４ａ、３４ｂ、３４ｃに加えられる操作に対応した指令信号を、情報処理端末６に向けて発信する。カーソル操作部レンズ３３ａ及び各クリックボタン３４ａ、３４ｂ、３４ｃもまた、レーザポインタ本体２の表面から大きく飛び出さないように構成されている。
【００３０】
さらに本レーザポインタ１は図４に示すレーザポインタ本体２左側面に、情報処理端末６上で起動している、動画や音声等のコンテンツ表示・再生する所謂メディア再生ソフトウェア等の起動、再生／一時停止及び停止といった操作を行い得る起動ボタン３５ａ、再生／一時停止ボタン３５ｂ及び停止ボタン３５ｃをそれぞれ設けている。
【００３１】
また図２及び図５に示されるレーザポインタ本体２右側面に、電源スイッチ３６、スクリーン切替ボタン３７、そしてＩＤ要求送信ボタン３８を設けている。電源スイッチ３６はレーザポインタ１自体の電源のＯＮ／ＯＦＦを行うための通常のものである。スクリーン切替ボタン３７は、プレゼンテーションソフトウェア等によるスライドショー実行時に押下された場合に、キーボードのＢキーが押下されたのと同等の信号を発信する。結果、スクリーンの表示が黒くなる（暗転する）。元のスライド表示に戻したければ、再度スクリーン切替ボタン３７を押下すればよい。
【００３２】
なお本実施形態では、各操作部３０、３１、３２、３３、３４ａ、３４ｂ、３４ｃの先端即ち上端を、レーザポインタ本体２の表面すなわち上面から突出しないように位置付けている。そして、レーザポインタ本体２の上面には、各操作部３０、３１、３２、３３の周縁に隣接する凹部２１、２２、２４を形成してある。凹部２１、２２、２４は、内周が断面視略擂鉢状をなし、各操作部３０、３１、３２の周縁を全周に亘り包囲する。特に、照射用操作部３０の周囲の凹部と指令用操作部３１の周囲の凹部とは連続し、両操作部３０、３１を包囲する一体の凹部２１となっている。この凹部２１は、第二指令用操作部３２の周囲の凹部２２とは隔絶している。
【００３３】
しかしてレーザポインタ本体２には、情報処理装置６に向けて無線信号を送出するための無線トランシーバ４１、レーザ光を発振するためのレーザ素子４２、及びそれぞれ回路基板４ａに実装されたトランシーバ４１やレーザ素子４２を制御する制御回路４３等を内蔵している。これらレーザ素子４２及び回路基板４ａは、レーザポインタ本体２においてレーザ光が照射される前端部２ｂ側の前半部２ｃ寄りに配置されている。加えて、前半部２ｃから湾曲させて設けたレーザポインタ本体２の後半部の下方領域には、電池を収容する電池ボックス２５を設けている。
【００３４】
回路基板４ａは、図４乃至図８に示すように、レーザポインタ本体２内においてデバイス本体３３ｂの一面３３ｃの外形を覆いながら積層するように位置付けられ且つ少なくとも厚み方向の位置決めがなされた状態で収容されたものである。そして同図に示すとおり、前端部２ｂ寄りの箇所に円形状の開口４ｂを設けたものとしている。
【００３５】
そしてそれぞれ上述した各ボタンやスイッチ、すなわち照射用操作部３０、指令用操作部３１、第二指令用操作部３２、カーソル操作部３３、第一クリックボタン３４ａ、第二クリックボタン３４ｂ及び第三クリックボタン３４ｃ、起動ボタン３５ａ、再生／一時停止ボタン３５ｂ、停止ボタン３５ｃ、電源スイッチ３６、スクリーン切替ボタン３７、ＩＤ要求送信ボタン３８は、回路基板４ａに実装されるか一部が実装された制御回路４３に電気的に接続している。すなわち照射用操作部３０が操作されたとき、制御回路４３はレーザ照射領域２ａに位置付けられたレーザ素子４２を駆動してレーザ光を発振させ、これを前端部２ｂから前方に照射する。そして、他のボタンである指令用操作部３１、指令用操作部３１、第二指令用操作部３２、カーソル操作部３３、第一クリックボタン３４ａ、第二クリックボタン３４ｂ及び第三クリックボタン３４ｃ、起動ボタン３５ａ、再生／一時停止ボタン３５ｂ、停止ボタン３５ｃ、電源スイッチ３６、スクリーン切替ボタン３７、ＩＤ要求送信ボタン３８が操作されたときには、制御回路４３はトランシーバ４１を介して所定の指令に係る信号を送信する。
【００３６】
しかして本実施形態では図７及び図８に示すように、デバイス本体が突出部３３ｅとともに動作し得る動作部３３ｂ１と、レーザポインタ本体２に固定された固定部３３ｂ２とを有するものとして、動作部３３ｂ２の動作とともに突出部３３ｅが上下すなわち回路基板４ａの厚み方向の往復動作を行なうものとしている。具体的にこの往復動作とは、突出端３３ｄが押圧されることによって突出端３３・動作部３３ｂ１が固定部３３ｂ１に近接する沈下動作と前記押圧が解除された際の突出端３３・動作部３３ｂ１の弾性復帰動作とを意味するものである。
【００３７】
そして回路基板４ａは、当該回路基板４ａとカーソル操作部３３とが積層する方向に突出部を通過させるための通過部たる開口４ｂを設けることによって、突出部３３ｅとの干渉を回避するとともに、前記厚み方向に直交する方向の位置決めを開口４ｂにも行わせることで、レーザポインタ本体２内に安定して位置決めがなされているものである。
【００３８】
そうすることにより、使用者が突出端３３ｄを頻繁に押下すなわち左クリック動作を行ったとしても回路基板４ａは、図７、図８に示すように突出部３３ｅを開口４ｂにて通過させるので、回路基板４ａが押圧されることもなくレーザポインタ本体２に安定して支持された状態を維持し得るものとなっている。
【００３９】
以上のような構成とすることにより、本実施形態に係るレーザポインタ１は、カーソル操作デバイスたるカーソル操作部３３の厚みの範囲内、すなわち突出端３３ｄから他端３３ｆまでの間に位置付けられるように回路基板４ａを配置しているので、レーザポインタ本体２内の空間の有効利用を図ることができる。その結果、大型化することを有効に回避し得るとともに、使用者にとって持ち易く操作し易い形状を実現したレーザポインタ１となっている。
【００４０】
レーザポインタ本体２内のスペースを有効に使用し得るために本実施形態では、突出部３３ｅを積層方向に通過させ得る通過部たる開口４ｂを回路基板４ａに設けたものとしている。
【００４１】
そして、カーソル操作部３３のみならず、レーザポインタ本体２表面にボタン等を配置する面積スペースを有効に確保するために本実施形態では、突出部３３ｅの突出端３３ｄ並びにレンズ部３３ａが、押下操作されて左クリックの操作をするものとしている。すなわちそうすることで、レーザポインタ１の表面上に設けるボタンの数を有効に削減している。
【００４２】
そして本実施形態の構成であれば、突出部３３ｅが開口４ｂに対して回路基板４ａの厚み方向に摺動する構成とすることにより、回路基板４ａは突出部３３ｅに面方向の位置決めの役割をも担わせて、レーザポインタ１内の固定が確実に行なわれたものとなっている。
【００４３】
そして本発明に係るレーザポインタ１は、上述の通りに回路基板４ａとカーソル操作部３３とを厚み寸法を節約しながら積層する構成としてレーザポインタ本体２内のスペースを有効に利用しているので、突出端３３ｄがレーザポインタ本体２の表面から突出しない位置に位置付けられているという、レーザポインタ本体２内部の空間を大きく利用するような構成にも有効に対応し得たものとなっている。
【００４４】
そして本実施形態では、特にレーザポインタ本体２における回路基板４ａの厚み寸法を有効に削減しているので、同方向にレーザ照射領域２ｂを形成してレーザ素子４２を重層する構成としても、同方向の寸法が嵩張らない形状を実現している。
【００４５】
そして本実施形態では、電池ボックス２５内の乾電池が重いために重心が後側すなわち把持部２３の方に偏っているところ、カーソル操作部３３及び回路基板４ａをレーザポインタ本体２の前半部２ｃに集めることによって、レーザポインタ１自体の重心を、より前寄りに偏位するように設定しているので、使用者にとって長時間の使用においても疲労し難い構成を実現している。加えて前半部２ｃのスペースを有効利用することで、レーザポインタ本体２を、前半部２ｃよりも後方の位置から湾曲させて形成して、本実施形態ではいわゆる「への字」形とし、単に棒状をなした形状のものよりも、使用者にとって握りやすい形状を実現している。
【００４６】
以上、本発明の実施形態について説明したが、各部の具体的な構成は、上述した実施形態のみに限定されるものではなく、本発明の趣旨を逸脱しない範囲で種々変形が可能である。
【００４７】
例えば、上記実施形態では回路基板に円形状の開口を形成した態様を開示したが、勿論、通過部は開口ではなく切欠であったり、円形状ではなく矩形状の開口であったりしてもよい。また回路基板は一枚のみならず複数積層させたものであったり、他のデバイスを通過させるために複数の開口を設けたもの等、レーザポインタ内部の具体的な態様は上記実施形態のものに限定されることはなく、既存のものを含め、種々の態様のものを適用することができる。
【００４８】
その他、各部の具体的構成についても上記実施形態に限られるものではなく、本発明の趣旨を逸脱しない範囲で種々変形が可能である。
【符号の説明】
【００４９】
１…レーザポインタ
２…レーザポインタ本体
３３…カーソル操作デバイス（カーソル操作部）
３３ｂ…デバイス本体
３３ｃ…一面
３３ｄ…突出端
３３ｅ…突出部
３３ｆ…他端
４ａ…回路基板
【図１】
2010204736.tif 000003
【図２】
2010204736.tif 000004
【図３】
2010204736.tif 000005
【図４】
2010204736.tif 000006
【図５】
2010204736.tif 000007
【図６】
2010204736.tif 000008
【図７】
2010204736.tif 000009
【図８】
2010204736.tif 000010